(57)【要約】【課題】近年の大きな消費電力を補える程度に、上記熱発電手段により多くの電力を発生することができるガス機器を提供する。【解決手段】燃料ガスＧを燃焼させて火炎３を形成し上方に載置された加熱対象物１の底部２を加熱するバーナ６６と、低温部３３と高温部３４との温度差により電力を発生する熱発電手段３０と、熱発電手段３０で発生した電力を蓄電する蓄電手段３２とを備え、加熱対象物１の底部２に当接する当接部と当接部に対して温度差がある非当接部とを有する当接部材１０において、当接部に低温部３３又は高温部３４の何れか一方を配置し、非当接部に他方を配置する。【選択図】図１
2008249197.tif 000002
【特許請求の範囲】
【請求項１】
燃料ガスを燃焼させて火炎を形成し上方に載置された加熱対象物の底部を加熱するバーナと、
低温部と高温部との温度差により電力を発生する熱発電手段と、
前記熱発電手段で発生した電力を蓄電する蓄電手段とを備えたガス機器であって、
前記加熱対象物の底部に当接する当接部と前記当接部に対して温度差がある非当接部とを有する当接部材において、前記当接部を前記低温部又は前記高温部の何れか一方とし、前記非当接部を他方とするガス機器。
【請求項２】
前記当接部材が、前記バーナの火炎に晒される部分に前記非当接部を有すると共に当該非当接部を前記高温部としたものである請求項１に記載のガス機器。
【請求項３】
前記当接部材が、上面に加熱対象物を載置する載置部位と前記載置部位を天板上に支持する支持部位とからなる五徳であり、前記載置部位の上面に前記当接部を有し前記載置部位の下面に前記非当接部を有するものである請求項２に記載のガス機器。
【請求項４】
前記当接部材が、燃料ガス又は空気に晒される部分に前記非当接部を有し、当該非当接部を前記低温部としたものである請求項１に記載のガス機器。
【請求項５】
前記当接部材が、上面に加熱対象物を載置する載置部位と前記載置部位を天板上に支持する支持部位とからなる五徳であり、前記載置部位に前記当接部を有し前記支持部位に前記非当接部を有するものである請求項４に記載のガス機器。
【請求項６】
前記当接部材が、前記バーナの中心に形成された開口部に位置する基端部位から上方へ延出し先端部位が前記加熱対象物の底部に当接する部材であり、前記先端部位に前記当接部を有し前記基端部位に前記非当接部を有するものである請求項４に記載のガス機器。
【請求項７】
電力を消費する電力消費部に対して、前記バーナの非燃焼時には、前記蓄電手段から電力を供給し、前記バーナの燃焼時には、前記熱発電手段から電力を供給するように、電力の供給状態を切り替える切替手段を備えた請求項１から６の何れか一項に記載のガス機器。
【請求項８】
入射光により電力を発生する光発電手段を備え、
前記蓄電手段が前記光発電手段で発生した電力を蓄電するように構成され、
前記切替手段が、前記電力消費部に対して、前記バーナの非燃焼時に、前記蓄電手段又は前記光発電手段から電力を供給するように構成されている請求項７に記載のガス機器。
【発明の詳細な説明】
【技術分野】
【０００１】
本発明は、燃料ガスを燃焼させて火炎を形成し上方に載置された加熱対象物の底部を加熱するバーナと、低温部と高温部との温度差により電力を発生する熱発電手段と、前記熱発電手段で発生した電力を蓄電する蓄電手段とを備えたガス機器に関する。
【背景技術】
【０００２】
従来のガス機器は、バーナが燃料ガスを燃焼させて火炎を形成し、当該火炎が五徳等により火炎の上部に載置された加熱対象物の底部を加熱するように構成されている。
そして、上述したガス機器の一例であるコンロとして、低温部と高温部との温度差により電力を発生する熱発電手段を、火炎の熱により加熱され高温となる部分に配置された高温部と、高温部よりも温度の低い部分に配置された低温部との温度差により電力を発生する形態で備え、当該電力を蓄電する蓄電手段を備えたものが知られている（例えば、特許文献１を参照。）。
【０００３】
更に、上記特許文献１に記載のコンロは、上面に加熱対象物を載置する載置部位と載置部位を天板上に支持する支持部位とからなる五徳を備え、熱発電手段が、支持部位と天板との間に配置され、その上面の高温部が支持部位に伝達された火炎の熱により加熱され、その下面の低温部が天板側により放熱される形態で、電力を発生するように構成されている。
そして、このような熱発電手段を備えたガス機器は、熱発電手段が発生した電力を制御装置等の電力を消費する電力消費部に供給することができる。よって、商用電力系統から電力を供給しなくても運転することができ、商用電力系統に接続するためのコンセントの位置に制限されることなく設置したり、停電時において利用することができる。
【０００４】
【特許文献１】特開平７−１８０８４２号公報
【発明の開示】
【発明が解決しようとする課題】
【０００５】
上述した特許文献１のコンロでは、上記熱発電手段の高温部と低温部との間に充分な温度差をつけることができなかった。即ち、五徳において上記高温部と当接する支持部位は、火炎に晒される載置部位からの伝熱により加熱されるが、その伝熱過程での外気への放熱により、十分に高温にはならない。また、上記低温部と当接する天板は、火炎からの輻射熱により十分に低温にはならない。この結果、上記支持部位と上記天板との間に設けられた熱発電手段では、低温部と高温部との温度差が小さくなるため、多くの電力を発生できないという問題があった。
【０００６】
また、近年のガス機器の高性能化に伴い、ガス機器に備えられた電力消費部の消費電力が増加する傾向にあるため、上述した熱発電手段により多くの電力を発生させることが望まれている。
【０００７】
本発明は、上記の課題に鑑みてなされたものであり、その目的は、近年の大きな消費電力を補える程度に、上記熱発電手段により多くの電力を発生することができるガス機器を提供する点にある。
【課題を解決するための手段】
【０００８】
上記目的を達成するための本発明に係るガス機器は、
燃料ガスを燃焼させて火炎を形成し上方に載置された加熱対象物の底部を加熱するバーナと、
低温部と高温部との温度差により電力を発生する熱発電手段と、
前記熱発電手段で発生した電力を蓄電する蓄電手段とを備えたガス機器であって、
その第１特徴構成は、前記加熱対象物の底部に当接する当接部と前記当接部に対して温度差がある非当接部とを有する当接部材において、前記当接部を前記低温部又は前記高温部の何れか一方とし、前記非当接部を他方とした点にある。
【０００９】
上記第１特徴構成によれば、当接部材の当接部を被加熱対象物の底部に当接させることで、当該当接部を被加熱対象物の底部と略同じ温度に維持することができる。
また、この加熱対象物の底部の温度は、加熱対象物が比較的大きな熱容量を有することから火炎温度よりも十分に低く、また、火炎により直接加熱されていることから、室温よりも十分に高い温度となる。
よって、この当接部材において、加熱対象物の底部に当接する当接部を熱発電手段の低温部又は高温部の何れか一方とし、上記火炎の温度や上記室温に近い温度となる当接部以外の非当接部を熱発電手段の他方とすれば、高温部と低温部との温度差を十分に取って、多くの電力を発生させることができる。
従って、近年の大きな消費電力を補える程度に、上記熱発電手段により多くの電力を発生することができるガス機器を実現することができる。
【００１０】
本発明に係るガス機器の第２特徴構成は、上記第１特徴構成に加えて、前記当接部材が、前記バーナの火炎に晒される部分に前記非当接部を有すると共に当該非当接部を前記高温部とした点にある。
【００１１】
上記第２特徴構成によれば、火炎に晒される非当接部は、加熱対象物の底部と比べて、火炎が高温であるため、常に高温に保たれる。
一方、加熱対象物の底部に当接する当接部は、特にバーナの燃焼開始時から十分に時間が経過しておらず加熱対象物の底部が低温である場合に、加熱対象物への放熱が促進されるので、上記火炎に晒される非当接部と比較して十分に低温となる。よって、火炎に晒され高温に維持される当該非当接部を熱発電手段の高温部とすると共に、その非当接部よりも十分に低温となる当該当接部を熱発電手段の低温部とすることで、低温部と高温部との温度差を十分に大きくでき、熱発電手段により多くの電力を発生させることができる。
【００１２】
本発明に係るガス機器の第３特徴構成は、上記第２特徴構成に加えて、前記当接部材が、上面に加熱対象物を載置する載置部位と前記載置部位を天板上に支持する支持部位からなる五徳であり、前記載置部位の上面に前記当接部を有し前記載置部位の下面に前記非当接部を有する点にある。
【００１３】
上記第３特徴構成によれば、ガス機器に備えられている五徳を当接部材とすることで、その五徳を利用した簡単な構成で、多くの電力を発生する熱発電手段を実現することができる。
即ち、五徳は、載置部位の上面に加熱対象物の底部と当接する当接部を有し、載置部位の下面に火炎に晒される部分である非当接部を有する。当該載置部位の上面を低温部とし当該載置部位の下面を高温部とすれば、簡単な構成で、低温部と高温部との温度差を大きくすることができる。
【００１４】
本発明に係るガス機器の第４特徴構成は、上記第１特徴構成に加えて、前記当接部材が、燃料ガス又は空気に晒される部分に前記非当接部を有すると共に当該非当接部を前記低温部としたものである点にある。
【００１５】
上記第４特徴構成によれば、バーナに供給される燃料ガス又はバーナに供給される燃焼用空気若しくは室内空気等の空気に晒される非当接部は、燃料ガスや空気が低温であるため、常に十分に常に低温に保たれる。
一方、加熱対象物の底部に当接する当接部は、特にバーナの燃焼開始時から十分に時間が経過して加熱対象物が高温である場合、火炎により常時加熱されているので、上記燃料ガス又は空気に晒される非当接部と比較して十分に高温となる。よって、燃料ガス又は空気に晒され低温に維持される当該非当接部を熱発電手段の低温部とすると共に、その非当接部よりも十分に高温となる当該当接部を熱発電手段の高温部とすることで、低温部と高温部との温度差を大きくすることができ、熱発電手段により多くの電力を発生させることができる。
【００１６】
本発明に係るガス機器の第５特徴構成は、上記第４特徴構成に加えて、前記当接部材が、上面に加熱対象物を載置する載置部位と前記載置部位を天板上に支持する支持部位とからなる五徳であり、前記載置部位に前記当接部を有し前記支持部位に前記非当接部を有する点にある。
【００１７】
上記第５特徴構成によれば、ガス機器に備えられている五徳を当接部材とすることで、その五徳を利用した簡単な構成で、多くの電力を発生する熱発電手段を実現することができる。
即ち、五徳は、載置部位に加熱対象物の底部と当接する当接部を有し、支持部位に室内空気に晒される非当接部を有する。よって、当該載置部位を高温部とし当該支持部位を低温部とすれば、簡単な構成で、熱発電手段の低温部と高温部との温度差を大きくすることができる。
【００１８】
本発明に係るガス機器の第６特徴構成は、上記第４特徴構成に加えて、前記当接部材が、前記バーナの中心に設けられた燃焼用空気を流通する基端部位から上方へ延出し先端部位が前記加熱対象物の底部に当接する部材であり、前記先端部位に前記当接部を有し前記基端部位に前記非当接部を有する点にある。
【００１９】
上記第６特徴構成によれば、バーナの中心に形成された開口部に位置する基端部位から上方へ延出し先端部位が加熱対象物の底部に当接する部材を利用した簡単な構成により、多くの電力を発生する熱発電手段を実現することができる。
即ち、上記当接部材は、先端部位に加熱対象物の底部と当接する当接部を有し、基端部位に上記バーナの中心に形成された開口部を流通する燃焼用空気に晒される非当接部を有する。よって、当該先端部位を高温部とし当該基端部位を低温部とすることで、簡単な構成により、熱発電手段の低温部と高温部との温度差を大きくすることができる。
【００２０】
本発明に係るガス機器の第７特徴構成は、上記第１特徴構成乃至上記第６特徴構成の何れかに加えて、電力を消費する電力消費部に対して、前記バーナの非燃焼時には、前記蓄電手段から電力を供給し、前記バーナの燃焼時には、前記熱発電手段から電力を供給するように、電力の供給状態を切り替える切替手段を備えた点にある。
【００２１】
上記第７特徴構成によれば、熱発電手段が電力を発生できないバーナの非燃焼時には、例えば点火装置等の電力消費部にて多くの電力が必要となる場合があるが、上記切替手段により、予め蓄電手段に蓄電した電力を、その電力消費部に供給するように電力の供給状態を切り替えることができる。一方、熱発電手段が電力を発生できるバーナの燃焼時には、上記切替手段により、熱発電手段が発生した電力を、蓄電手段を介さずに直接電力消費部に供給するように電力の供給状態を切り替えることができる。
【００２２】
本発明に係るガス機器の第８特徴構成は、上記第７特徴構成に加えて、入射光により電力を発生する光発電手段を備え、
前記蓄電手段が前記光発電手段で発生した電力を蓄電するように構成され、
前記切替手段が、前記電力消費部に対して、前記バーナの非燃焼時に、前記蓄電手段又は前記光発電手段から電力を供給するように構成されている点にある。
【００２３】
上記第８特徴構成によれば、上記光発電手段を備えることにより、バーナの非燃焼時には、光発電手段が発生し適宜蓄電手段に蓄電した電力を、電力消費部に供給するように、電力の供給状態を切り替えることができる。この結果、長時間継続してバーナが使われずに熱発電手段での発電が行われなくても、電力消費部に対して継続して電力を供給し、更に、蓄電手段が放電しきってしまうことを防止できる。また、長期保管後においても、光発電手段で電力を発電させて蓄電手段を充電する初期充電が可能となり、その充電された電力を利用して運転を再開させることができる。また、上記光発電手段を備えることで、バーナの非燃焼時にも発電が可能となるので、商用電力系統から電力の供給を受けるためのＡＣアダプタ等が不要となる。
【発明を実施するための最良の形態】
【００２４】
本発明におけるガス機器の一例であるコンロの実施の形態について、図面に基づいて説明する。尚、図１は、本発明の第１実施形態のコンロの概略構成図であり、図２は、本発明の第２実施形態のコンロの概略構成図であり、図３は、本発明の第３実施形態のコンロの概略構成図である。
【００２５】
〔第１実施形態〕
第１実施形態のコンロの構成について図１に基づいて説明する。
図１に示すコンロは、天然ガス系都市ガスなどの燃料ガスＧを燃焼用の空気Ａ１，Ａ２により燃焼させて火炎３を形成するバーナ６６を備えおり、上方に載置された鍋など加熱対象物１の底部２を加熱するように構成されている。
【００２６】
上記バーナ６６は、ガス供給管６１から供給された燃料ガスＧを一次燃焼用空気Ａ１と混合した後に、天板６０上で円形に配置された複数の炎孔６５から天板６０上に噴出させるバーナ本体６３を備えている。そして、そのバーナ本体６３の炎孔６５から噴出した混合気は、その中心に設けられた開口部６７を通じて天板６０上に供給される二次燃焼用空気Ａ２が更に混合されて燃焼し、火炎３を形成する。
上記バーナ本体６３に供給される燃料ガスＧが流通するガス供給管６１には、バーナ本体６３への燃料ガスＧの供給量を調節する電磁弁４０が備えられ、炎口６５の近傍には、炎孔６５から噴出する燃料ガスＧを点火する点火プラグ４２が備えられている。
【００２７】
コンロには、上面１３に加熱対象物１を載置する載置部位１１と載置部位１１を天板６０上に支持する支持部位１２とからなる五徳１０が備えられている。
上記五徳１０は、上記支持部位１２が炎孔６５の周囲で天板６０上に搭載されるように環状に形成されており、その支持部位１２から中心に向けて複数の載置部位１１が延出形成されている。そして、五徳１０の載置部位１１の上面１３に、加熱対象物１が載置されることで、バーナ６６が形成する火炎３の上方に加熱対象物１を支持することができる。
そして、本第１実施形態において、この五徳１０が、載置部位１１の上面１３が加熱対象物１の底部２と当接する当接部となり、載置部位１１の下面１４が火炎３に晒される非当接部となる形態で、加熱対象物１の底部２に当接する当接部と当接部に対して温度差がある非当接部とを有する当接部材となる。
【００２８】
本発明のコンロは、電力源として、低温部３３と高温部３４との温度差により電力を発生する熱電素子３０（熱発電手段の一例）と、当該熱電素子３０で発生した電力を蓄電する蓄電池３２（蓄電手段の一例）とを備えており、商用電力系統から電力を供給しなくても必要な電力を自ら賄うように構成されている。
【００２９】
更に、熱電素子３０の低温部３３は上述した載置部位１１の上面１３に配置され、熱電素子３０の高温部３４は上述した載置部位１１の下面１４に配置され、当該載置部位１１の上面１３と載置部位１１の下面１４との間には、それらの温度差により電力を発生する電力発生部３５が配置されている。即ち、熱電素子３０は、五徳１０の載置部位１１において、下面１４から上面１３に渡って、高温部３４と電力発生部３５と低温部３３とが積層して備えられている。これにより、加熱対象物１の底部２に当接する載置部位１１の上面１３に配置された低温部３３は、特にバーナ６６の燃焼開始時から十分に時間が経過しておらず加熱対象物１の底部２が低温である場合、加熱対象物１の底部２への放熱が促進されて、低温となる。一方、火炎３に晒される載置部位１１の下面１４に配置された高温部３４は、非常に高温の火炎３に加熱され、高温となる。よって、熱電素子３０は、当該低温部３３と当該高温部３４との間に大きな温度差を生成し、多くの電力を発生することができる。
【００３０】
熱電素子３０が発生した電力は、適宜蓄電池３２に蓄電され、電力消費部としての電磁弁４０、制御装置５０などの電子部品を冷却するためのファン４１、温度センサ４３、点火プラグ４２、及び、後述する制御装置５０等に供給することができる。
【００３１】
熱電素子３０の電力発生部３５は、Ｎ型熱電半導体とＰ型熱電半導体の何れか一方又は両方から構成されており、電力発生部３５が低温部３３と高温部３４とを電気的に接続するように構成されている。低温部３３と高温部３４とに温度差が生じると、Ｎ型熱電半導体は、高温部３４から低温部３３へ電子を流し、Ｐ型熱電半導体は、高温部３４から低温部３３へ正孔を流す。これにより、電力発生部３５に電位が発生するため、熱電素子３０が電力を発生することとなる。例えば、低温部３３が７０℃で高温部３４が６５０℃である場合、電力発生部３５では、４．８Ａの電流が流れ、６．３Ｖの電圧が発生する。この結果、熱電素子３０の出力電力は、３０．２Ｗとなる。当該出力電力は、低温部３３と高温部３４との温度差が大きいほど、増加する傾向がある。
【００３２】
更に、このコンロは、光入射により電力を発生する太陽電池３１（光発電手段の一例）が天板６０の上に備える。太陽電池３１で発生した電力は、上記熱発電素子３０と同様に、適宜蓄電池３２に蓄電され、電力消費部に供給することができる。
【００３３】
また、バーナ６６の開口部６７に位置する基端部位７２から上方に延出し加熱対象物１の底部２に当接する先端部位７１を有する筒状部材７０が備えられており、その筒状部材７０の先端部位７１には、加熱対象物１の底部２の温度を計測する温度センサ４３が備えられている。温度センサ４３の計測結果は、制御装置５０により取得され、自動調理用のデータ等として用いられる。
【００３４】
更に、筒状部材７０は、スライド機構６８により昇降可能に構成されている。よって、筒状部材７０の先端部位７１は、加熱対象物１が五徳１０の載置部位１１に載置されると、下方から上方に押圧される形態で加熱対象物１の底部２に当接する。
【００３５】
制御装置５０は、上述した電磁弁４０、ファン４１、点火プラグ４２、及び温度センサ４３を制御する。例えば、制御装置５０は、バーナ６６の燃焼開始時には、電磁弁４０を閉状態から開状態とし、点火プラグ４２を点火させる。また、バーナ６６の燃焼時には、電磁弁４０の開度を温度センサ４３の計測結果に基づいて調整する。また、バーナ６６の非燃焼時には、消費電力部を次の燃焼開始のための指令入力を受け付ける状態とする。
【００３６】
更に、制御装置５０は、電力消費部に対して、バーナ６６の燃焼時には、熱電素子３０から電力を供給し、バーナ６６の非燃焼時には、蓄電池３２又は太陽電池３１から電力を供給するように、切替回路５１を制御して電力の供給状態を切り替える切替手段として機能するように構成されている。以下、この切替手段が働き、バーナ６６の非燃焼時と燃焼時において切り替えられる電力供給状態について説明する。
【００３７】
切替回路５１は、以下に説明する熱発電電力供給状態、光発電電力供給状態、蓄電電力供給状態の夫々を切り替え可能に構成されている。
熱発電電力供給状態は、熱電素子３０が発生した電力を、電力消費部に供給すると共に、余剰の電力を蓄電池３２に蓄電する状態である。光発電電力供給状態は、太陽電池３１で発生した電力を、電力消費部に供給すると共に、余剰の電力を蓄電池３２に蓄電する状態である。蓄電電力供給状態は、蓄電池３２が蓄電した電力を、電力消費部に供給する状態である。
【００３８】
バーナ６６の燃焼時には、制御装置５０が、切替回路５１を熱発電電力供給状態に切り替えるように制御する。即ち、バーナ６６の燃焼時には、熱電素子３０が電力を発生するため、当該電力が、バーナ６６の燃焼時に電力を消費する電磁弁４０、ファン４１、制御装置５０等の消費電力部に供給される。
バーナ６６の非燃焼時には、制御装置５０が、切替回路５１を光発電電力供給状態又は蓄電電力供給状態に切り替えるように制御する。即ち、バーナ６６の非燃焼時には、熱電素子３０は電力を発生できないので、太陽電池３１が発生した電力、又は、蓄電池３２に蓄電された電力が、制御装置５０等の消費電力部に供給される。
バーナ６６の非燃焼時のうち燃焼開始時には、制御装置５０が、切替回路５１を蓄電電力供給状態に切り替えるように制御する。即ち、バーナ６６の燃焼開始時には、多くの電力を必要とする点火プラグ４２を点火する必要があるため、上述した熱発電電力供給状態及び光発電電力供給状態において蓄電池３２に蓄電された電力が、主に点火プラグ４２に供給される。また、当該電力は、バーナ６６の燃焼開始時に電力を消費する電磁弁４０、制御装置５０にも適宜供給される。
【００３９】
上述したように、制御装置５０が、熱発電電力供給状態、光発電電力供給状態、蓄電電力供給状態の夫々を適宜切り替える切替手段として機能することで、コンロにおける電力の供給が、コンロの状態に応じて適切に行われることになる。このため、このコンロは、商用電力系統から電力を供給しなくても運転することができ、商用電力系統に接続するためのコンセントの位置に制限されることなく設置したり、停電時において利用することができる。
【００４０】
尚、本第１実施形態において、載置部位１１の上面１３の高温部３４及び載置部位１１の下面１４の低温部３３の伝熱面積を稼ぐように、五徳１０の載置部位１１を天板６０と平行な扁平形状等として五徳１０の形状を適宜改変しても構わない。
【００４１】
〔第２実施形態〕
第２実施形態のコンロの構成について図２に基づいて説明する。尚、上記第１実施形態と同様の構成については、図面において同じ符号を付して説明を割愛する。図２に示すコンロでは、五徳１０が、載置部位１１が加熱対象物１の底部２と当接する当接部となり、支持部位１２が室内空気に晒される非当接部となる形態で、加熱対象物１の底部２に当接する当接部と当接部に対して温度差がある非当接部とを有する当接部材となる。
熱電素子３０の高温部３４は上述した載置部位１１に配置され、熱電素子３０の低温部３３は上述した支持部位１２に配置され、載置部位１１と支持部位１２とを繋ぐ腕部１５には、低温部３３と高温部３４との温度差により電力を発生する電力発生部３５が配置されている。即ち、本実施形態においては、五徳１０全体が熱電素子３０として構成されており、載置部位１１から支持部位１２に渡って、高温部３４と電力発生部３５と低温部３３とが積層して備えられている。これにより、加熱対象物１の底部２に当接する載置部位１１に配置された高温部３４は、特にバーナ６６の燃焼開始時から十分に時間が経過して加熱対象物１の底部２が高温である場合、火炎３により常時加熱されているので、非常に高温となる。一方、火炎３の外側の支持部位１２に配置された低温部３３は、室内空気に晒されて冷却され、火炎３からの伝熱が少ないため、比較的低温となる。よって、熱電素子３０は、当該低温部３３と当該高温部３４との間に大きな温度差を生成し、多くの電力を発生することができる。
【００４２】
尚、第２実施形態のコンロにおいて、熱電素子３０の高温部３４は、載置部位１１の上面１３だけでなく下面１４まで含めた部分として構成される。これにより、熱電素子３０の高温部３４は、火炎３により一層晒されて高温となり、高温部３４としてより有効に機能する。
【００４３】
〔第３実施形態〕
第３実施形態のコンロの構成について図３に基づいて説明する。尚、上記第１実施形態と同様の構成については、図面において同じ符号を付して説明を割愛する。
【００４４】
図３に示すコンロでは、バーナ６６の開口部６７に設けられた筒状部材７０が、先端部位７１が加熱対象物１の底部２と当接する当接部となり、基端部位７２が二次燃焼用空気Ａ２に晒される非当接部となる形態で、加熱対象物１の底部２に当接する当接部と当接部に対して温度差がある非当接部とを有する当接部材となる。
【００４５】
更に、熱電素子３０の高温部３４は上述した先端部位７１に配置され、熱電素子３０の低温部３３は、上述した基端部位７２に配置される。低温部３３と高温部３４との間には、低温部３３と高温部３４との温度差により電力を発生する電力発生部３５が配置されている。即ち、本実施形態においては、筒状部材７０全体が熱電素子３０として構成されており、先端部位７１から基端部位７２に渡って、高温部３４と電力発生部３５と低温部３３とが積層して備えられている。
これにより、加熱対象物１の底部２に当接する先端部位７１に配置された高温部３４は、特にバーナ６６の燃焼開始時から十分に時間が経過して加熱対象物１の底部２が高温である場合、火炎３により常時加熱されているので、非常に高温となる。一方、開口部６７に位置する基端部位７２に配置された低温部３３は、低温の二次燃焼用空気Ａ２に晒されて冷却され、火炎３からの伝熱が少ないため、比較的低温となる。よって、熱電素子３０は、当該低温部３３と当該高温部３４との間に大きな温度差を生成し、多くの電力を発生することができる。
【００４６】
上述したように、筒状部材７０は、先端部位７１に加熱対象物１の底部２の温度を計測する温度センサ４３を備えて感温部として機能すると共に、加熱対象物１の底部２の熱を利用して電力を発生する熱発電手段としても機能するように構成される。これにより、この第２実施形態のコンロは、部品点数の増加を抑制しながらも、熱発電手段を備えることができる。
【００４７】
熱電素子３０の低温部３３を配置した基端部位７２は、ファン４１と近接して備えることができる。これにより、低温部３３は、より多くの二次燃焼用空気Ｄ２に晒すことができ、より一層低温となって低温部３３として良好に機能する。
【００４８】
尚、上記第３実施形態において、筒状部材７０の基端部位７２に配置した低温部３３を二次燃焼用空気Ａ２に晒して冷却する構成としたが、例えば、その基端部位７２をバーナ６６のバーナ本体６３に供給される燃料ガスＧや他の空気等に晒して冷却するように構成しても構わない。
【００４９】
〔別実施形態〕
（１）第１乃至第３実施形態において、本発明のガス機器の例としてコンロについて説明したが、本発明に係るガス機器は、別にコンロ以外のガス炊飯器等としても構成することができる。
【産業上の利用可能性】
【００５０】
本願発明のガス機器は、近年の大きな消費電力を補える程度に、上記熱発電手段により多くの電力を発生することができるガス機器として有効に利用可能である。
【図面の簡単な説明】
【００５１】
【図１】本発明に係るガス機器の一例である第１実施形態のコンロの概略構成図
【図２】本発明に係るガス機器の一例である第２実施形態のコンロの概略構成図
【図３】本発明に係るガス機器の一例である第３実施形態のコンロの概略構成図
【符号の説明】
【００５２】
１：加熱対象物
２：底部
３：火炎
１０：五徳
１１：載置部位
１２：支持部位
１３：上面
１４：下面
３０：熱電素子（熱発電手段）
３１：太陽電池（光発電手段）
３２：蓄電池（蓄電手段）
３３：低温部
３４：高温部
５０：制御装置（切替手段）
５１：切替回路（切替手段）
６６：バーナ
６７：開口部
７０：筒状部材
７１：先端部位
７２：基端部位
Ｇ：燃料ガス
Ａ１：一次燃焼用空気
Ａ２：二次燃焼用空気
【図１】
2008249197.tif 000003
【図２】
2008249197.tif 000004
【図３】
2008249197.tif 000005